(57)【要約】【課題】貯留しておいた二酸化炭素を長時間かけて排出し、農業用ハウス内に無駄なく施用することのできる二酸化炭素施用装置を提供すること。【解決手段】この二酸化炭素施用装置１は、供給流路５１から貯留タンク７１を通って排出流路８１に到達する外気の流量を第一流量とし、供給流路５１からバイパス配管９１を通って排出流路８１に到達する外気の流量を第二流量としたときにおいて、第一流量に対する第二流量の比率を変化させるように構成されている。【選択図】図１
2015126708.tif 000002
【特許請求の範囲】
【請求項１】
燃焼装置の燃焼排ガスから二酸化炭素を回収して貯留しておき、当該二酸化炭素を農業用ハウス内に供給する二酸化炭素施用装置であって、
内部に吸着材を有しており、二酸化炭素を前記吸着材に吸着させて貯留する貯留タンクと、
前記貯留タンクに燃焼排ガスを供給するための流路である供給流路と、
前記貯留タンクから二酸化炭素を排出するための流路である排出流路と、
前記貯留タンクを介さずに前記供給流路と前記排出流路を繋ぐ流路であるバイパス流路と、
前記供給流路を通じて前記貯留タンクに外気を供給することにより、前記排出流路を通じて前記貯留タンクから二酸化炭素を排出させる外気導入手段と、を備え、
前記貯留タンクから二酸化炭素を排出する際においては、
前記供給流路から前記貯留タンクを通って前記排出流路に到達する外気の流量を第一流量とし、前記供給流路から前記バイパス流路を通って前記排出流路に到達する外気の流量を第二流量としたときにおいて、前記第一流量に対する前記第二流量の比率を変化させるように構成されていることを特徴とする二酸化炭素施用装置。
【請求項２】
前記貯留タンクから二酸化炭素を排出する際においては、
前記第一流量に対する前記第二流量の比率を徐々に又は段階的に減少させることを特徴とする請求項１に記載の二酸化炭素施用装置。
【請求項３】
前記供給流路を通る燃焼排ガスの熱を回収して蓄熱しておく蓄熱手段を更に備えており、
前記貯留タンクから二酸化炭素を排出する際において、前記蓄熱手段に蓄熱されていた熱により、前記外気導入手段によって前記貯留タンクに供給される外気を加熱することを特徴とする請求項１又は２に記載の二酸化炭素施用装置。
【発明の詳細な説明】
【技術分野】
【０００１】
本発明は、燃焼装置の燃焼排ガスから二酸化炭素を回収して貯留しておき、当該二酸化炭素を農業用ハウス内に供給する二酸化炭素施用装置に関する。
【背景技術】
【０００２】
周知の如く、施設園芸の農業用ハウス（温室）では、夜間に気温が下がり過ぎて作物の生育が阻害されることのないように、加温機（燃焼装置）を用いて農業用ハウス内の空気を暖めている。この加温機は、重油や灯油などを燃焼させて得られた熱を、温風として農業用ハウス内に送るものである。
【０００３】
一方、園芸作物の収率および品質の向上のため、光合成に必要な二酸化炭素を農業用ハウス内に施用（供給）するための二酸化炭素施用装置が開発されており、普及している。この二酸化炭素施用装置は、重油や灯油などを燃焼させることにより二酸化炭素を発生させて、当該二酸化炭素を農業用ハウス内（植物の葉の近傍）に供給するものである。
【０００４】
上記のように、農業用ハウスにおいては、夜間は加温機において重油や灯油などを燃焼させ、昼間には二酸化炭素施用装置において重油や灯油などを燃焼させている。つまり、昼間にも夜間にも、重油や灯油などの燃焼によって熱と二酸化炭素の両方を発生させている。
【０００５】
ところで、昼間には光合成のために二酸化炭素が必要であるが、夜間には光合成が行われないため二酸化炭素は必要ない。また、夜間には気温が下がるために熱が必要であるが、昼間には気温が比較的高いため熱は必要ない場合が多い。このことに鑑みれば、夜間に加温機で発生した燃焼排ガスから二酸化炭素を回収・貯留しておき、それを昼間に農業用ハウス内に施用することができれば、昼間は重油や灯油などを燃焼させる必要はなくなるため、省エネルギーの促進・地球温暖化抑制という大きな効果が得られる。
【０００６】
下記特許文献１に記載された二酸化炭素施用装置では、夜間、加温機で発生した燃焼排ガスから二酸化炭素を回収・貯留しておき、昼間、当該二酸化炭素を農業用ハウス内に施用している。このため、昼間には重油や灯油などを燃焼させる必要がなく、高いエネルギー効率にて農業用ハウス内に二酸化炭素を施用することが可能となっている。
【先行技術文献】
【特許文献】
【０００７】
【特許文献１】特開２０１２−０１６３２２号公報
【発明の概要】
【発明が解決しようとする課題】
【０００８】
上記特許文献１に記載された二酸化炭素施用装置は、貯留タンク内に吸着材を配置しており、当該吸着材に二酸化炭素を吸着させることにより、二酸化炭素を貯留しておくものである。貯留しておいた二酸化炭素を排出（農業用ハウス内に施用）する際には、貯留タンク内に外気（空気）を供給して、当該空気と共に二酸化炭素を排出する構成となっている。このような二酸化炭素施用装置では、二酸化炭素放出過程の初期段階において、比較的高濃度の二酸化炭素が排出されてしまう傾向がある。排出される二酸化炭素の濃度は、その後次第に減少していくのであるが、初期段階で高濃度の二酸化炭素が排出されるため、貯留しておいた二酸化炭素は比較的短時間のうちになくなってしまう。
【０００９】
二酸化炭素施用装置においては、植物の葉の近傍に対し、光合成を行うために必要な程度の量の二酸化炭素を可能な限り長時間にわたって排出（施用）することが求められる。高濃度の二酸化炭素を排出しても、その大部分は光合成に用いられることなく農業用ハウスの外部に排出されてしまい、無駄となるからである。
【００１０】
従って、上記特許文献１に記載された二酸化炭素施用装置は、貯留しておいた二酸化炭素を無駄なく施用するという観点において、さらなる改良の余地のあるものであった。
【００１１】
本発明はこのような課題に鑑みてなされたものであり、その目的は、貯留しておいた二酸化炭素を長時間かけて排出し、農業用ハウス内に無駄なく施用することのできる二酸化炭素施用装置を提供することにある。
【課題を解決するための手段】
【００１２】
上記課題を解決するために本発明に係る二酸化炭素施用装置は、燃焼装置の燃焼排ガスから二酸化炭素を回収して貯留しておき、当該二酸化炭素を農業用ハウス内に供給する二酸化炭素施用装置であって、内部に吸着材を有しており、二酸化炭素を前記吸着材に吸着させて貯留する貯留タンクと、前記貯留タンクに燃焼排ガスを供給するための流路である供給流路と、前記貯留タンクから二酸化炭素を排出するための流路である排出流路と、前記貯留タンクを介さずに前記供給流路と前記排出流路を繋ぐ流路であるバイパス流路と、前記供給流路を通じて前記貯留タンクに外気を供給することにより、前記排出流路を通じて前記貯留タンクから二酸化炭素を排出させる外気導入手段と、を備え、前記貯留タンクから二酸化炭素を排出する際においては、前記供給流路から前記貯留タンクを通って前記排出流路に到達する外気の流量を第一流量とし、前記供給流路から前記バイパス流路を通って前記排出流路に到達する外気の流量を第二流量としたときにおいて、前記第一流量に対する前記第二流量の比率を変化させるように構成されていることを特徴とする。
【００１３】
本発明に係る二酸化炭素施用装置では、供給流路から貯留タンクを通って排出流路に到達する外気の流量を第一流量とし、供給流路からバイパス流路を通って排出流路に到達する外気の流量を第二流量としたときに、第一流量に対する第二流量の比率を変化させる。このため、貯留タンクから排出される二酸化炭素の濃度が時間の経過とともに変化しても、第一流量に対する第二流量の比率を変化させて適宜調整することにより、農業用ハウスに施用される二酸化炭素の濃度（供給量といってもよい）が変化することを抑制することができる。その結果、初期段階で貯留タンクから一気に二酸化炭素が放出されてしまうことを抑制することができ、貯留しておいた二酸化炭素を長時間かけて排出し、農業用ハウス内に無駄なく施用することができる。また、植物が光合成を行うのに最適な特定の時間帯において、放出する二酸化炭素濃度が最大となるように、第一流量に対する第二流量の比率を変化させることも可能となる。
【００１４】
また本発明に係る二酸化炭素施用装置は、前記貯留タンクから二酸化炭素を排出する際においては、前記第一流量に対する前記第二流量の比率を徐々に又は段階的に減少させることも好ましい。
【００１５】
この好ましい態様では、第一流量に対する第二流量の比率を徐々に又は段階的に減少させる。貯留タンクから排出される二酸化炭素の濃度は、時間の経過とともに低下する傾向があるので、第一流量に対する第二流量の比率を徐々に又は段階的に減少させることにより、農業用ハウスに施用される二酸化炭素の濃度の変化を抑制することができる。
【００１６】
また本発明に係る二酸化炭素施用装置は、前記供給流路を通る燃焼排ガスの熱を回収して蓄熱しておく蓄熱手段を更に備えており、前記貯留タンクから二酸化炭素を排出する際において、前記蓄熱手段に蓄熱されていた熱により、前記外気導入手段によって前記貯留タンクに供給される外気を加熱することを特徴とする。
【００１７】
この好ましい態様では、燃焼排ガスの熱（排気熱）を回収して蓄熱しておく蓄熱手段を備え、この蓄熱手段に蓄熱されていた熱を利用して、貯留タンクに供給される外気を加熱する。貯留タンクから排出される二酸化炭素の濃度が低下した際において、加熱された外気を貯留タンクに供給すれば、吸着材からの二酸化炭素の離脱が促進される。その結果、貯留タンクから排出される二酸化炭素の濃度が上昇するため、農業用ハウス内への二酸化炭素の施用時間を更に長くすることができる。
【発明の効果】
【００１８】
本発明によれば、貯留しておいた二酸化炭素を長時間かけて排出し、農業用ハウス内に無駄なく施用することのできる二酸化炭素施用装置を提供することができる。
【図面の簡単な説明】
【００１９】
【図１】本発明の実施形態における二酸化炭素施用装置の概略構成を示す全体図である。
【図２】二酸化炭素排出過程での二酸化炭素濃度の時間変化を示すグラフである。
【図３】二酸化炭素排出過程での二酸化炭素濃度の時間変化を示すグラフである。
【図４】二酸化炭素排出過程での二酸化炭素濃度の時間変化を示すグラフである。
【発明を実施するための形態】
【００２０】
以下添付図面を参照しながら本発明の実施形態について説明する。説明の理解を容易にするため、各図面において同一の構成要素に対しては可能な限り同一の符号を付して、重複する説明は省略する。
【００２１】
図１は、本実施形態の二酸化炭素施用装置１の概略構成を示す全体図である。二酸化炭素施用装置１は、燃焼排ガスから二酸化炭素を回収・貯留し、貯留した二酸化炭素を放出して農業用ハウス内に供給するシステムである。図１に示すように、二酸化炭素施用装置１は、加温機１１（燃焼装置）と、外気導入流路２１と、供給流路５１と、排気熱回収器３１（蓄熱手段）と、浄化装置４１と、ブロア６１（外気導入手段）と、貯留タンク７１と、排出流路８１と、バイパス配管９１と、燃焼排ガス量調整バルブＶ１と、外気量調整バルブＶ２と、排出流量調整バルブＶ３と、バイパス流量調整バルブＶ４と、を備える。また、図１に示すように、二酸化炭素施用装置１は、農業用ハウス１０内に収容される。
【００２２】
加温機１１は、重油や灯油などを燃焼させて得られた熱を、温風として送る装置である。加温機１１は、夜間に気温が下がり過ぎて作物の生育が阻害されることのないように、農業用ハウス１０内に温風を供給する。加温機１１には煙突１２が接続されており、この煙突１２から、重油や灯油などの燃焼により生じた燃焼排ガスが排出される。この煙突１２の途中には、燃焼排ガス量調整バルブＶ１を介して供給流路５１が接続されている。図示しない制御装置により燃焼排ガス量調整バルブＶ１を制御することで、燃焼排ガスが煙突１２から排出される状態と、燃焼排ガスが供給流路５１に供給される状態とが切り替えられる。
【００２３】
供給流路５１は、煙突１２（燃焼排ガス量調整バルブＶ１）と貯留タンク７１とを繋ぐ配管であって、加温機１１から燃焼排ガスを貯留タンク７１に供給する流路となっている。供給流路５１の途中には、上流側から順に、外気導入流路２１と、排気熱回収器３１と、浄化装置４１と、凝縮水タンク１２１と、ブロア６１と、がそれぞれ接続されている。
【００２４】
外気導入流路２１は、その一端が供給流路５１に接続され、他端が農業用ハウス１０内の空間に開放された配管である。外気導入流路２１によって、農業用ハウス１０内の空気（外気）を供給流路５１内に導入することが可能となっている。外気導入流路２１から導入される外気の流量は、外気導入流路２１に設けられた外気量調整バルブＶ２によって調整される。
【００２５】
排気熱回収器３１は、所謂熱交換器であって、供給流路５１内を流れる気体（燃焼排ガス）の熱を回収したり、供給流路５１内を流れる気体（外気）に熱を加えたりすることのできる装置である。排気熱回収器３１は、供給流路５１のうち、供給流路５１と外気導入流路２１との接続部分よりも下流側に配置されている。この排気熱回収器３１によって燃焼排ガスの熱を回収することで、供給流路５１内を流れる燃焼排ガスの温度を下げることが可能となっている。その結果、下流側の貯留タンク７１に供給される燃焼排ガスの温度を、二酸化炭素の吸着に適した温度とすることが可能となっている。排気熱回収器３１によって回収された熱は、貯湯タンク３３（蓄熱手段）内に湯として蓄熱される。
【００２６】
排気熱回収器３１と貯湯タンク３３は配管３４で接続されており、配管３４には放熱装置３２が配置されている。必要に応じて放熱装置３２から熱を放出することによって、貯湯タンク３３内の湯の温度が上昇し過ぎることが防止される。
【００２７】
尚、排気熱回収器３１としては、燃焼排ガスの熱を回収し、回収した熱を蓄熱する機能を有するものであれば、特に限定されることなく様々な種類の熱交換器を用いることが可能である。また、放熱装置３２としては、配管３４を流れる水の温度を下げる機能を有するものであれば、特に限定されることなく様々な種類のもの（例えばラジエータ）を用いることが可能である。
【００２８】
浄化装置４１は、燃焼排ガス中の窒素酸化物及び硫黄酸化物を除去する装置である。窒素酸化物及び硫黄酸化物は、植物に生育にあたって悪影響を与えるため、これらを除去するために浄化装置４１が設けられている。浄化装置４１は、供給流路５１のうち排気熱回収器３１よりも下流側に配置されている。但し、触媒等を用いた高温浄化を行う場合には、供給流路５１のうち排気熱回収器３１よりも上流側に配置される事もある。
【００２９】
凝縮水タンク１２１は、燃焼排ガス中の水分を回収する装置である。供給流路５１内を流れる燃焼排ガスが、上述した排気熱回収器３１によって熱が回収されて冷却される際において、燃焼排ガス中の水分が凝縮されて供給流路５１内で水滴（凝縮水）となる。このような供給流路５１内に生じる水滴を回収するために凝縮水タンク１２１が設けられている。
【００３０】
ブロア６１は、供給流路５１内を流れる気体（外気や燃焼排ガス）を貯留タンク７１側に送風する送風装置である。ブロア６１としては、例えば送風ファンが用いられる。ブロア６１を稼働させることで、供給流路５１内の気体が貯留タンク７１に供給される。ブロア６１は、供給流路５１のうち凝縮水タンク１２１よりも下流側に配置されている。尚、ブロア６１の位置はこのような位置に限られず、供給流路５１の任意の位置とすることができる。
【００３１】
貯留タンク７１は、供給流路５１の最も下流側に設けられ、供給流路５１を通じて貯留タンク７１に空気又は燃焼排ガスが導入される。貯留タンク７１は、燃焼排ガス中の二酸化炭素を吸着・貯留する吸着材７２を内部に有している。このため、貯留タンク７１に導入された燃焼排ガスに含まれた二酸化炭素は、貯留タンク７１内の吸着材７２によって吸着・貯留される。燃焼排ガスは、このように二酸化炭素の一部又は全部が取り除かれた後、貯留タンク７１に接続された排出流路８１から排出される。このとき、吸着材７２に吸着された二酸化炭素の量は次第に増加して行き、上限量（飽和吸着量）に達した後に一定となる。
【００３２】
尚、本実施形態では、吸着材７２として例えば活性炭等が用いられるものであるが、燃焼排ガス中の二酸化炭素を吸着・貯留する機能を有するものであれば他の材料を用いても良く、例えばゼオライト等の親水性多孔質材料を用いても良い。
【００３３】
バイパス配管９１は、供給流路５１のうちブロア６１と貯留タンク７１との間の部分（分岐部５２）と、排出流路８１とを接続する配管である。ブロア６１により送風された気体は、分岐部５２において分岐して貯留タンク７１とバイパス流路のバイパス配管９１両方に流入する。その後、バイパス配管９１と排出流路８１との接続部分（合流部８２）において再び合流する。
【００３４】
すなわち、バイパス配管９１は、貯留タンク７１を介さずに供給流路５１と排出流路８１とを繋ぐ流路（バイパス流路）を構成する配管である。バイパス配管９１には、バイパス流量調整バルブＶ４が設けられてきる。バイパス流量調整バルブＶ４により、バイパス配管９１を流れる空気の流量が調整されるようになっている。
【００３５】
排出流路８１には、排出流量調整バルブＶ３が設けられている。排出流量調整バルブＶ３により、排出流路８１内を流れる空気又は燃焼排ガスの流量が調整されるようになっている。
【００３６】
上記構成を備える二酸化炭素施用装置１において、燃焼排ガス中の二酸化炭素を貯留タンク７１に吸着・貯留する二酸化炭素吸着過程と、貯留タンク７１に吸着・貯留された二酸化炭素を排出する二酸化炭素排出過程について以下に説明する。
【００３７】
二酸化炭素吸着過程においては、燃焼排ガスが供給流路５１側に流れるように燃焼排ガス量調整バルブＶ１を調整した状態で、加温機１１及びブロア６１を稼働させる。このとき、外気量調整バルブＶ２は閉じた状態となっており、排出流量調整バルブＶ３は開いた状態となっており、バイパス流量調整バルブＶ４は閉じた状態となっている。このため、加温機１１から供給流路５１内に導入された燃焼排ガスの全量は、ブロア６１に送風されて貯留タンク７１に流入する。排気熱回収器３１は稼働した状態となっており、燃焼排ガスは温度が下げられた状態で貯留タンク７１側に供給される。その結果、燃焼排ガスに含有される二酸化炭素が吸着材７２に吸着し、貯留タンク７１内に貯留される。このような二酸化炭素吸着過程は、主に、農業用ハウス１０内の温度が低下する夜間に行われる。
【００３８】
二酸化炭素排出過程においては、加温機１１を停止させた状態でブロア６１を稼働させる。このとき、外気量調整バルブＶ２は開いた状態となっており、排出流量調整バルブＶ３は開いた状態となっており、バイパス流量調整バルブＶ４は開いた状態となっている。このため、供給流路５１内では、外気導入流路２１から導入された外気が流れる。当該外気は、貯留タンク７１とバイパス配管９１の両方に供給される。
【００３９】
貯留タンク７１内において吸着、貯留されていた二酸化炭素は、ブロア６１から貯留タンク７１に供給された外気と共に、排出流路８１へと排出される。その後、バイパス配管９１を流れる外気と合流して濃度が低下した状態で、農業用ハウス１０内（植物の葉の近傍）へと排出される。このような二酸化炭素排出過程は、植物が光合成を行う昼間に行われる。
【００４０】
尚、バイパス流量調整バルブＶ４の開度は、図示しない制御装置からの信号によって例えば時間の経過とともに調整されるものである。バイパス流量調整バルブＶ４の開度に関しては、例えば、二酸化炭素排出過程の初期段階において、バイパス流量調整バルブＶ４を全開とし、供給流路５１内から導入される外気の流量の約半分をバイパス配管９１に流してバイパスさせた後、所定の時間が経過した後にバイパス流量調整バルブＶ４を全閉とし、供給流路５１内から導入される外気の全量を貯留タンク７１に供給することも可能である。
【００４１】
また、例えば、初期段階にバイパス流量調整バルブＶ４を全開とし、その後はバイパス流量調整バルブＶ４を徐々に閉じることで、バイパス配管９１に流れる外気の量を徐々に減少させ、貯留タンク７１に流れる外気の量を徐々に増加させるようにすることも可能である。以上のように、供給流路５１から貯留タンク７１を通って排出流路８１に到達する外気の流量（第一流量）と、供給流路５１からバイパス配管９１を通って排出流路８１に到達する外気の流量（第二流量）との比率は、バイパス流量調整バルブＶ４の開度を調整することにより徐々に又は段階的に変えることができる。換言すれば、第一流量に対する第二流量の比率を徐々に又は段階的に変化させることができる。
【００４２】
また上述した二酸化炭素排出過程において、排出流量調整バルブＶ３の開度を、バイパス流量調整バルブＶ４の開度の開度と共に（又は単独にて）調整することで、第一流量に対する第二流量の比率を減少させるように構成してもよい。すなわち、貯留タンク７１に流れる外気の流量に対するバイパス配管９１に流れる外気の流量の比率を、排出流量調整バルブＶ３及びバイパス流量調整バルブＶ４の両方の開度によって減少させるように構成しても良い。この比率に関しては、例えば、第一流量に対する第二流量の比率を徐々に減少させるように構成しても良く、所定時間経過後に、第一流量に対する第二流量の比率を段階的に変化させるように構成しても良い。
【００４３】
本実施形態では、上述したように、第一流量に対する第二流量の比率を変化させる。このため、貯留タンク７１から排出される二酸化炭素の濃度が変化しても、第一流量に対する第二流量の比率を変化させて適宜調整することにより、農業用ハウスに施用される二酸化炭素の濃度が変化することを抑制することができる。その結果、初期段階で貯留タンクから一気に二酸化炭素が放出されてしまうことがなく、貯留しておいた二酸化炭素を長時間かけて排出し、農業用ハウス内に無駄なく施用することができる。
【００４４】
また本実施形態では、上述したように、第一流量に対する第二流量の比率を徐々に又は段階的に減少させる。二酸化炭素の貯留量（吸着量）の低下に伴い、貯留タンク７１から排出流路８１へと排出される二酸化炭素の濃度は時間の経過とともに低下する傾向にあるので、第一流量に対する第二流量の比率を徐々に又は段階的に減少させることにより、農業用ハウス１０内に施用される二酸化炭素の濃度の変化を抑制することができる。
【００４５】
続いて図２を参照しながら、上述した二酸化炭素排出過程における二酸化炭素濃度の時間変化について説明する。図２は、二酸化炭素排出過程における二酸化炭素濃度の時間変化を示すグラフであって、二酸化炭素施用装置１により二酸化炭素を施用した場合と、従来の二酸化炭素施用装置により二酸化炭素を施用した場合とを比較するためのグラフである。図２におけるグラフの横軸は時間を表し、図２におけるグラフの縦軸は農業用ハウス１０内に供給（施用）される二酸化炭素の濃度を表している。図２では、本発明の実施形態に係る二酸化炭素施用装置１によって施用した場合における二酸化炭素濃度の時間変化を、グラフＧ１として示している。また、従来の二酸化炭素施用装置によって施用した場合における二酸化炭素濃度の時間変化を、グラフＧ２として示している。
【００４６】
図２に表されるように、グラフＧ１とグラフＧ２とを比較すると、グラフＧ１（本発明）の方が、特に二酸化炭素排出過程の初期段階において排出される二酸化炭素濃度を大幅に低減させることができている。そして、時間の経過とともに、グラフＧ２（従来）では二酸化炭素濃度が大きく減少しているが、グラフＧ１（本発明）では、時間が経過しても二酸化炭素濃度の変化（低下）を抑制することができている。換言すれば、グラフＧ１（本発明）では、農業用ハウス１０内に供給する二酸化炭素濃度をほぼ一定の状態とすることが可能となっている。その結果、従来よりも長時間の二酸化炭素の施用が可能となっている。
【００４７】
また本発明施用方法では、二酸化炭素排出過程において、所定時間経過後（図２では時刻ｔ１）に、バイパス配管９１に設けられたバイパス流量調整バルブＶ４の開度を小さくして、第一流量に対する第二流量の比率を減少させている。つまり、貯留タンク７１に流れる外気の流量に対するバイパス配管９１内に流れる外気の流量の比率を減少させている。このため、貯留タンク７１に流れる外気の流量が大きくなり、農業用ハウス１０内に供給される二酸化炭素の濃度が増加している。その結果、より長時間の二酸化炭素の施用が可能となっている。
【００４８】
続いて、図３を参照しながら、上述した二酸化炭素施用装置１の運転方法（第一運転方法）とは異なる運転方法（第二運転方法）について説明する。図３は、図２と同様のグラフであって、二酸化炭素排出過程における二酸化炭素濃度の時間変化を示すグラフである。具体的には、二酸化炭素施用装置１により二酸化炭素を施用した場合と、従来の二酸化炭素施用装置により二酸化炭素を施用した場合とを比較するためのグラフである。尚、この第二運転方法においても、上述した第一運転方法と同様に、時刻ｔ１にバイパス流量調整バルブＶ４の開度を小さくしている。
【００４９】
この第二運転方法では、貯留タンク７１から排出される二酸化炭素の濃度が低下した際（図３の時刻ｔ２）に、貯留タンク７１に供給される外気を排気熱回収器３１により加熱する。すなわち、貯湯タンク３３（蓄熱手段）に蓄熱していた熱を利用して、供給流路５１内を流れる外気を加熱する。貯留タンク７１には比較的暖かい外気が導入され、吸着材７２からの二酸化炭素の離脱が促進されるため、農業用ハウス１０内に供給される二酸化炭素の濃度が時刻ｔ２において再び上昇している。このように、貯留タンク７１に供給される外気を途中から加熱して二酸化炭素の濃度を上昇させることで、農業用ハウス１０内への二酸化炭素の施用時間を更に長くすることができる。
【００５０】
続いて、図４を参照しながら、上述した二酸化炭素施用装置１の運転方法（第二運転方法）とは異なる運転方法（第三運転方法）について説明する。図４は、図２及び図３と同様のグラフであって、二酸化炭素排出過程における二酸化炭素濃度の時間変化を示すグラフである。具体的には、二酸化炭素施用装置１により二酸化炭素を施用した場合と、従来の二酸化炭素施用装置により二酸化炭素を施用した場合とを比較するためのグラフである。図４に示したグラフＧ２は、図２及び図３に示したグラフＧ２と同一のグラフであり、従来の二酸化炭素施用装置によって施用した場合における二酸化炭素濃度の時間変化を示している。図４に示したグラフＧ１は、この第三運転方法で二酸化炭素施用装置１を運転した場合における、二酸化炭素濃度の時間変化を示している。
【００５１】
この第三運転方法では、また、植物が光合成を行うのに最適な特定の時間帯（時刻ｔ２０を含む時間帯）において、放出する二酸化炭素濃度が最大となるように、第一流量に対する第二流量の比率を変化させている。グラフＧ１に示した従来の運転方法においては、運転の初期段階（時刻ｔ１０を含む時間帯）において最も高い濃度の二酸化炭素が放出され、その後は徐々に減少している。これに対し、二酸化炭素施用装置１では、このように任意の時間帯において最も高い濃度の二酸化炭素が放出されるような運転を行うことが可能となっている。
【００５２】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【００５３】
１：二酸化炭素施用装置
１０：農業用ハウス
１１：加温機
１２：煙突
２１：外気導入流路
２２：外気導入部
３１：排気熱回収器
３２：放熱装置
３３：貯湯タンク
３４：配管
４１：浄化装置
５１：供給流路
５２：分岐部
６１：ブロア
７１：貯留タンク
７２：吸着材
８１：排出流路
８２：合流部
９１：バイパス流路
１２１：凝縮水タンク
Ｖ１：燃焼排ガス量調整バルブ
Ｖ２：外気量調整バルブ
Ｖ３：排出流量調整バルブ
Ｖ４：バイパス流量調整バルブ
【図１】
2015126708.tif 000003
【図２】
2015126708.tif 000004
【図３】
2015126708.tif 000005
【図４】
2015126708.tif 000006